(57)【要約】【課題】平坦な表面を有する物品にも盗難防止タグを取り付けることができ、しかも警報が発せられることなく不法に盗難防止タグを取り外すことが困難な構造のセキュリティラベルを得る。【解決手段】セキュリティラベル１０は、基材１２と、基材１２の一方面に形成される導体層１４とを含む。２つのコネクタ部１３ａ，１３ｂを結ぶように、導体層１４をＵ字状に形成し、コネクタ部１３ａ，１３ｂ部分で露出した導体層１４に盗難防止タグの端子を接続する。基材１２に切れ目１８を形成することにより、セキュリティラベル１０を剥離したときに、基材１２が破断しやすいようにする。【選択図】　　　図１
2004118568.tif 000002
【特許請求の範囲】
【請求項１】
シート状の基材、
前記基材の一方面上に連続して形成される導体層、および
前記基材および前記導体層の上に形成される粘着剤層を含み、
前記導体層が破断したときに警報を発する警報装置が前記導体層に接続されるセキュリティラベルであって、
前記基材に切れ目が形成されることにより前記基材および前記導体層を破断しやすくした、セキュリティラベル。
【請求項２】
前記導体層は、前記基材の１つの辺の２か所を結ぶ形状に形成され、前記切れ目は、前記導体層の端部が形成された前記基材の辺を除く３つの辺のそれぞれに沿って少なくとも１つ形成された、請求項１に記載のセキュリティラベル。
【請求項３】
それぞれの前記切れ目は、前記基材の辺側から前記導体層側に向かうにしたがって切り口が広がる形状に形成される、請求項１または請求項２に記載のセキュリティラベル。
【請求項４】
前記基材の他方面上において、前記導体層の端部に対応する前記基材端部側に台紙が貼着された、請求項１ないし請求項３のいずれかに記載のセキュリティラベル。
【請求項５】
前記基材の他方面上に積層される台紙を含み、前記導体層の端部に対応する前記基材端部側とそれに対向する端部側において前記基材に前記台紙が強い接着力で貼着され、かつ前記切れ目が形成された部分において容易に剥離できるように前記基材と前記台紙とが積層された、請求項４に記載のセキュリティラベル。
【発明の詳細な説明】
【０００１】
【発明の属する技術分野】
この発明は、セキュリティラベルに関し、特に、たとえば不法持出しを知らせる警報装置を商品などに取り付け、かつ不法に警報装置を取り外したときに警報を発して知らせるためのセキュリティラベルに関する。
【０００２】
【従来の技術】
【特許文献１】
特開平９−２４５２７３号公報
【０００３】
近年、展示会場、スーパーマーケット、百貨店などにおいて、展示品や商品などの物品の盗難、不法持ち出しなどが大きな問題となっている。これを防止する方法として、自鳴タグによる物品監視システムが有望視されている。
【０００４】
特許文献１には、商品等の盗難を防止するための警報装置として、盗難防止タグが開示されている。この盗難防止タグＴは、図７に示すような回路を有するものである。この盗難防止タグＴは、導通ワイヤＷによって、商品などに取り付けられる。そして、店舗の出入口には、所定の信号を発信する発信装置が設けられ、盗難防止タグＴが取り付けられた商品を持ち出そうとすると、インダクタンスＬ１とキャパシタンスＣ２とからなる共振回路が発振装置からの信号に共振し、ブザーＢＵＺにより警報が発せられる。
【０００５】
導通ワイヤＷは、図８に示すように、盗難防止タグＴにループ状に取り付けられ、その一端が着脱可能に形成されている。この導通ワイヤＷが、たとえばバッグＢの把手などに通され、導通ワイヤＷの一端が盗難防止タグＴにロックされる。ここで、発振装置の信号により警報が発せられないように、導通ワイヤＷを切断して盗難防止タグＴを取り外した場合、導通ワイヤＷの断線が検出され、ブザーＢＵＺにより警報が発せられる。このように、この盗難防止タグＴを取り付けた商品を店外に持ち出そうとしても、盗難防止タグＴを不法に取り外そうとしても、ブザーＢＵＺにより警報が発せられる。
【０００６】
顧客によって商品が購入されたとき、たとえば導通ワイヤＷのロックを外すために、盗難防止タグＴに形成された鍵穴に鍵を差し込むことにより、リセットスイッチＲＳが導通され、警報が発せられることなく導通ワイヤＷのロックを解除することができる。
【０００７】
【発明が解決しようとする課題】
しかしながら、従来においては、導通ワイヤが物品の把手などに絡められることにより盗難防止タグが取り付けられていたため、他の導線を用いたり、直接バイパスをすることにより、盗難防止タグの近くで導通ワイヤを短絡すると、短絡部分の先で導通ワイヤが切断されても警報が発せられないという問題がある。また、把手などのない平坦な表面を有する物品の場合、導通ワイヤを用いた盗難防止タグを取り付けられないという問題もある。
【０００８】
それゆえに、この発明の主たる目的は、平坦な表面を有する物品にも盗難防止タグを取り付けることができ、しかも警報が発せられることなく不法に盗難防止タグを取り外すことが困難な構造のセキュリティラベルを提供することである。
【０００９】
【課題を解決するための手段】
この発明は、シート状の基材と、基材の一方面上に連続して形成される導体層と、基材および導体層の上に形成される粘着剤層とを含み、導体層が破断したときに警報を発する警報装置が導体層に接続されるセキュリティラベルであって、基材に切れ目が形成されることにより基材および導体層を破断しやすくした、セキュリティラベルである。
このセキュリティラベルにおいて、導体層は、基材の１つの辺の２か所を結ぶ形状に形成され、切れ目は、導体層の端部が形成された基材の辺を除く３つの辺のそれぞれに沿って少なくとも１つ形成されることが好ましい。
また、それぞれの切れ目は、基材の辺側から導体層側に向かうにしたがって切り口が広がる形状に形成されることが好ましい。
さらに、基材の他方面上において、導体層の端部に対応する基材端部側に台紙が貼着されてもよい。
この場合、、基材の他方面上の全面に台紙を積層してもよく、その場合、導体層の端部に対応する基材端部側とそれに対向する端部側において基材に台紙が強い接着力で貼着され、かつ切れ目が形成された部分において容易に剥離できるように基材と台紙とが積層される。
【００１０】
基材に切れ目を形成することにより、物品に貼着したセキュリティラベルを剥離しようとしたときに、切れ目から基材が破断しやすくなる。それにともなって、基材に形成された導体層も破断しやすくなる。
このセキュリティラベルにおいて、導体層をセキュリティラベルの１つの辺の２か所を結ぶ形状に形成することにより、セキュリティラベルの１つの辺に警報装置を接続することができる。さらに、導体層の端部が形成された辺を除く辺に沿って、基材に切れ目を形成することにより、セキュリティラベルを剥離する方向にかかわらず、基材を破れやすくすることができる。
さらに、切れ目を基材の辺側から導体層側に向かうにしたがって切り口が広がる形状にすることにより、セキュリティラベルを剥離するときに、基材が導体層に向かって破断しやすくなる。
また、基材の他方面上の導体層端部に対応する部分に台紙を積層することにより、導体層の端部が形成された部分の強度を大きくすることができる。
導体層端部に対応する部分における基材の他方面上に台紙を貼着するために、基材の他方面の全面に台紙を積層してもよい。この場合、基材の切れ目形成部に台紙が貼着されると、セキュリティラベルを剥離するときに、切れ目による基材の破断効果が期待できなくなるため、切れ目形成部においては基材と台紙とが容易に剥離できるようにしておく必要がある。
【００１１】
この発明の上述の目的，その他の目的，特徴および利点は、図面を参照して行う以下の発明の実施の形態の詳細な説明から一層明らかとなろう。
【００１２】
【発明の実施の形態】
図１は、この発明のセキュリティラベルの一例を示す斜視図である。セキュリティラベル１０は、シート状の基材１２を含む。基材１２の材料としては、たとえばポリスチレン、ポリ塩化ビニル、アクリル、ＡＳ樹脂、ＡＢＳ樹脂、ポリアセタール、ポリカーボネートなどの熱可塑性樹脂フィルムが用いられる。基材１２は、たとえば矩形に形成され、その一端に２つのコネクタ部１３ａ，１３ｂが形成される。
【００１３】
基材１２の一方面上には、導体層１４が形成される。導体層１４は、たとえばカーボンなどの導電性転写箔を基材１４に熱転写することにより形成される。この導体層１４は、図１に点線で示すように、２つのコネクタ部１３ａ，１３ｂを結ぶようにして、連続したＵ字状に形成される。導体層１４のＵ字状部は、コネクタ部１３ａ，１３ｂの幅より狭い幅でＵ字状に形成され、導体層１４の端部は、コネクタ部１３ａ，１３ｂとほぼ同じ幅となるように形成される。
【００１４】
基材１２および導電層１４の上には、粘着剤層１６が形成される。粘着剤層１６の材料としては、たとえばアクリル系粘着剤などが用いられる。粘着剤層１６は、コネクタ部１３ａ，１３ｂを除く全面に形成される。したがって、コネクタ部１３ａ，１３ｂにおいては、導体層１４が露出している。
【００１５】
さらに、基材１２には、複数の切れ目１８が形成される。切れ目１８は、基材１２のコネクタ部１３ａ，１３ｂが形成されていない辺に沿って形成される。これらの切れ目１８は、基材１２の辺側から導体層１４側に向かうにしたがって、その切り口が広がるＶ字状に形成される。この切れ目１８は、基材１２の３つの辺のそれぞれに沿って、少なくとも１つ形成される。
【００１６】
このセキュリティラベル１０は、図２に示すように、警報装置としての盗難防止タグ５０に取り付けられる。盗難防止タグ５０は、図７に示すような回路を有し、導電ワイヤＷに代えて、セキュリティラベル１０の導体層１４が接続される。このとき、コネクタ部１３ａ，１３ｂ部分に形成された導体層１４が接続端子の役割を果たし、コネクタ部１３ａ，１３ｂを盗難防止タグ５０の端子部５２に嵌め込むことにより、導体層１４が端子部５２に接続される。ここで、導電接着剤などによって、盗難防止タグ５０の端子部５２に導体層１４の端部を固着してもよい。そして、粘着剤層１６によって、セキュリティラベル１０が、商品や展示品などの物品５４に貼着される。
【００１７】
セキュリティラベル１０を物品５４に貼着するには、たとえば複数のセキュリティラベル１０が仮着された剥離紙から１枚ずつセキュリティラベル１０を剥離して、物品５４に貼着することができる。このとき、剥離紙に仮着された状態でセキュリティラベル１０に盗難防止タグ５０を接続してもよいし、物品５４にセキュリティラベル１０を貼着した後に盗難防止タグ５０を接続してもよい。
【００１８】
物品５４を置いた店舗の出入口には、所定の信号を発信するゲートなどが設けられ、盗難防止タグ５０が通ったときに、盗難防止タグ５０のブザーＢＵＺが警報を発するようになっている。したがって、盗難防止タグ５０が付いたままで、物品５４を店外に持ち出そうとすれば、盗難防止タグ５０の警報によって検出することができる。また、セキュリティラベル１０のコネクタ部１３ａ，１３ｂ間で、導体層１４が断線した場合も、盗難防止タグ５０が警報を発する。
【００１９】
このセキュリティラベル１０では、基材１２に切れ目１８が形成されているため、セキュリティラベル１０を物品５４から剥離しようとすると、切れ目１８から基材１２が破れやすくなっている。特に、切れ目１８が内側に向かって広がるＶ字状に形成されているため、基材１２の端部側から剥離すると、切れ目１８のＶ字の内側部分が物品５４に貼着されたままで基材１２が剥離される。そのため、基材１２は、Ｖ字が広がるような形で破断する。基材１２が破断すると、それに積層された導体層１４も破断し、コネクタ部１３ａ，１３ｂ間において導体層１４が断線する。それにより、盗難防止タグ５０によって、警報が発せられる。
【００２０】
このように、物品５４から不法にセキュリティラベル１０を剥離しようとすると、容易に導体層１４が破損し、警報が発せられる。また、セキュリティラベル１０が物品５４に貼着されると、導体層１４は表面側から隠れるため、盗難防止タグ５０の近傍で導体層１４を短絡させることが困難である。さらに、セキュリティラベル１０の端子部として用いられるコネクタ部１３ａ，１３ｂにおいて導体層１４を短絡しようとしても、コネクタ部１３ａ，１３ｂが盗難防止タグ５０の端子部５２に嵌め込まれて隠れているため、コネクタ部１３ａ，１３ｂを抜き取ることなく導体層１４の端部を短絡することは困難である。したがって、導体層１４を短絡し、その短絡部分の先でセキュリティラベル１０を剥離することも困難である。
【００２１】
なお、セキュリティラベル１０を剥離するときに、導体層１４を破損しやすくするために切れ目１８が形成されるが、切れ目１８の形状としては、たとえば図３に示すように、Ｘ字状のような形状としてもよい。このように、切れ目１８の形状は変更可能であり、たとえば基材１２の辺側から導体層１４側に向かって延びる直線状であってもよいが、セキュリティラベル１０を剥離するときに基材１２を破断しやすくするためには、Ｖ字状やＸ字状などのような、内側に向かって切り口が広がる形状のほうが好ましい。
【００２２】
また、切れ目１８は、基材１２の３つの辺のそれぞれに沿って形成される。このようにすれば、セキュリティラベル１０を剥離する方向にかかわらず、基材１２を破れやすくすることができる。また、基材１２の３つの辺のそれぞれに沿って、少なくとも１つの切れ目１８が形成されればよいが、それぞれの辺に沿って複数の切れ目１８が形成されるほうが基材１２が破断しやすい。しかしながら、切れ目１８の数が多すぎると、セキュリティラベル１０を物品５４に貼着するときに基材１２が変形してしまうので、そのようなことのない数にすることが好ましい。さらに、セキュリティラベル１０を剥離するときに、導体層１４が破断しやすいように、導体層１４の周囲に切れ目が形成される。この場合、Ｕ字状の導体層１４の内側に切れ目１８を形成してもよいが、セキュリティラベル１０を剥離するときに導体層１４が破断しやすいようにするには、Ｕ字状の導体層１４の外側に形成されることが好ましい。
【００２３】
なお、コネクタ部１３ａ，１３ｂについては、必ずしもラベルから突出するように形成される必要はなく、図４に示すように、コネクタ部のない基材１２を用いて、その端部に導体層１４が配置されるようにしてもよい。この場合、導体層１４の端部が引き出された端部側においては、粘着剤層１６が形成されず、導体層１４を露出させて盗難防止タグ５０に接続できるようにする必要がある。
【００２４】
さらに、図５に示すように、基材１２の導体層１４が形成されていない側の面に、台紙２０を積層してもよい。この場合、図６に斜線で示すように、導体層１４が引き出された基材１２の端部側と、それに対向する端部側にのみ粘着剤層で台紙２０が積層される。これらの粘着剤層で台紙２０が貼着される部分は、切れ目１８が形成された部分の外側であり、粘着剤層の間の基材１２上には、たとえばシリコンなどによって剥離層２２が形成される。したがって、基材１２の両端部のみに台紙２０が強い接着力で貼着され、その間においては、剥離層２２を介して台紙２０と基材１２とが積層される。なお、図６においては、基材１２の両端側に粘着剤層が形成されているようにみえるが、実際には、全面に粘着剤層が形成された台紙２０を積層することにより、基材１２の両端側にのみ強い接着力で台紙２０が貼着され、その間においては基材１２と台紙２０とが容易に剥離可能に積層される。
【００２５】
このようなセキュリティラベル１０を構成する材料の例としては、たとえば、基材１２として厚み４０μｍのポリスチレンフィルム、導体層１４として厚み６μｍのカーボン転写箔、粘着剤層１６として厚み１５μｍのアクリル系粘着剤層、台紙２０として厚み１５０μｍの上質紙などが用いられる。なお、上述の各厚みは一例であり、必要に応じて、これらの厚みを変更することができる。
【００２６】
このセキュリティラベル１０を製造するには、まず、基材１２となるフィルムの一方の面に、部分的にシリコンが塗布され、剥離層２２が形成される。次に、フィルムの他方の面に、導電性転写箔がＵ字状に連続して箔押しされ、複数の導体層１４が形成される。このとき、導体層１４の端部は、シリコンが塗布されていない部分に対応する位置に配置される。さらに、フィルムの導体層１４形成部の周囲に、複数の切れ目１８が形成される。
【００２７】
また、フィルムとは別に、シリコンが塗布された剥離紙が準備される。この剥離紙の剥離面に粘着剤層が設けられ、この粘着剤層にフィルムの導体層１４形成面が積層される。なお、導体層１４の端部に対応する部分においては、剥離紙に粘着剤層は形成されない。したがって、導体層１４の端部が露出した状態で、フィルムと導体層１４を覆うように、粘着剤層１６が形成される。さらに、剥離紙と反対側の面において、全面に粘着剤層が形成された台紙２０がフィルムに貼着される。このとき、台紙２０の全面に粘着剤層が形成されていても、フィルムに剥離層が形成されている部分には強い接着力で貼着されない。
【００２８】
このようにして得られた台紙とフィルムと剥離紙の積層体をラベルの形状に打ち抜くことにより、図５に示すようなセキュリティラベル１０を得ることができる。また、剥離紙を切断せず、フィルムと台紙とをラベルの形状にダイカットし、不要な部分を取り除くことにより、剥離紙上に複数のセキュリティラベル１０が仮着されたラベル連続体を得ることができる。
【００２９】
このような台紙２０が積層されたセキュリティラベル１０では、導体層１４の端部側において、基材１２に台紙２０が貼着されているため、盗難防止タグ５０に接続される導体層１４の端子部の厚みが厚くなり、強度が大きくなって、盗難防止タグ５０の端子部５２にしっかりと装着することができる。また、剥離層２２を形成することにより、基材１２の切れ目１８形成部と台紙５０とが容易に剥離され、切れ目１８による基材１２の破断効果を損ねることがない。なお、台紙２０は、基材１２の全面に積層される必要はなく、導体層１４の端子部に対応する部分にのみ貼着されていてもよい。このように、導体層１４の端子部に対応する部分に台紙２０が貼着されていれば、盗難防止タグ５０の端子部５２に導体層の端子部をしっかりと装着することができる。
【００３０】
このように、このセキュリティラベル１０を用いて盗難防止タグ５０を物品５４に取り付ければ、不法に物品５４を店外に持ち出そうとしても、また不法にセキュリティラベル１０を剥離しようとしても、警報が発せられる。したがって、物品５４の不法持ち出しを効果的に防止することができる。
【００３１】
上述の例では、導体層１４はＵ字状に形成されているが、導体層１４は連続されて形成されていればよく、Ｕ字状に形成される必要はない。たとえば、Ｖ字状、Ｗ字状などのような他の形状の導体層１４を形成してもよい。
【００３２】
【発明の効果】この発明によれば、警報を発することなく、盗難防止タグを取り付けた物品を店舗外に持ち出すことや、盗難防止タグを不法に取り外すことが困難である。したがって、店外への物品の不法持ち出しを効果的に防止することができる。さらに、把手などのない平坦な面を有する物品にも、盗難防止タグを取り付けることができる。
【図面の簡単な説明】
【図１】この発明のセキュリティラベルの一例を示す図解図である。
【図２】この発明のセキュリティラベルを用いて物品に盗難防止タグを取り付けた状態を示す図解図である。
【図３】この発明のセキュリティラベルの他の例を示す図解図である。
【図４】この発明のセキュリティラベルのさらに他の例を示す図解図である。
【図５】この発明のセキュリティラベルの別の例を示す図解図である。
【図６】図５に示すセキュリティラベルの基材部分を示す図解図である。
【図７】物品に取り付けて不法持ち出しを検出するための盗難防止タグの一例を示す回路図である。
【図８】盗難防止タグを導通ワイヤで物品に取り付けた状態を示す図解図である。
【符号の説明】
１０　セキュリティラベル
１２　基材
１３ａ，１３ｂ　コネクタ部
１４　導体層
１６　粘着剤層
１８　切れ目
２０　台紙
２２　剥離層
５０　盗難防止タグ
５２　端子部
５４　物品
【図１】
2004118568.tif 000003
【図２】
2004118568.tif 000004
【図３】
2004118568.tif 000005
【図４】
2004118568.tif 000006
【図５】
2004118568.tif 000007
【図６】
2004118568.tif 000008
【図７】
2004118568.tif 000009
【図８】
2004118568.tif 000010